(57)【要約】 【課題】簡便な工程で製造可能で且つ充分なクッション性を備えたくつ下の提供。【解決手段】口ゴム部からつま先部まで筒状に連続的に編成されてなるくつ下において、第１口ゴム部から、第１足首部、第１踵部、足底部及び足甲部、つま先部まで連続して編成された第１筒状部と、第２口ゴム部から、第２足首部、第２踵部、土踏まず後方部まで連続して第１筒状部と略対称形状に編成された第２筒状部とが、互いに一体的に連なって構成され、第２筒状部が第１筒状部の対応する領域に折り重ね合わされて、踵部と足首部を含む土踏まず後方部から履口に亘って袋状の二重構造部が形成されるものとした。【選択図】      図１
0003127628.tif 000002
【実用新案登録請求の範囲】
【請求項１】
履口を形成する口ゴム部から、足首部、踵部、足底部及び足甲部を経てつま先部まで筒状に連続的に編成されてなる側面略くの字形状のくつ下において、
第１口ゴム部から、第１足首部と、第１踵部と、足底部及び足甲部とを経てつま先部まで連続して編成された第１筒状部と、第２口ゴム部から、第２足首部と、第２踵部とを経て土踏まず後方部まで連続して前記第１筒状部と略対称形状に編成された第２筒状部とが、互いに口ゴム部同士で一体的に連なって構成され、
前記第２筒状部が前記第１筒状部の対応する領域に折り重ね合わされて、折られた前記口ゴム部同士の境界部位に履口が形成されると共に、該履口から土踏まず後方部に亘ってて袋状の二重構造部が形成されることを特徴とするくつ下。
【請求項２】
前記第２筒状部の土踏まず後方部から第２踵部、第２足首部、第２口ゴム部を経て第１筒状部の第１口ゴム部、第１足首部、第１踵部、足底部および足後部、つま先部までを順次連続的に編成してから前記第２筒状部を第１筒状部との境界部位で折返すことによって前記二重構造部が形成されることを特徴とする請求項１に記載のくつ下。
【請求項３】
前記二重構造部の少なくとも第１と第２の踵部の合わせ面が互いにパイル面であることを特徴とする請求項１又は請求項２に記載のくつ下。
【請求項４】
前記履口の開口縁上で、靴履口の後側縁部分が当接する所定幅領域に亘って靴当て突部を形成する延設部が第１口ゴム部と第２口ゴム部との間に連続的に設けられていることを特徴とする請求項１〜請求項３のいずれか１項に記載のくつ下。
【考案の詳細な説明】
【技術分野】
【０００１】
本考案は、激しいスポーツ用としても対応できるように特に踵部にクッション性を付与したつ下に関するものである。
【背景技術】
【０００２】
従来からくつ下には、薄手のものや厚手のものなど様々な種類があり、履く靴の種類やその目的に応じて適したくつ下がその都度選択される。例えば、単に足部を覆って靴との摩擦を低減する薄手のくつ下に対して、運動時にはより良く足を保護しまた汗を吸収できるよう厚手のものが履かれている。
【０００３】
また、スポーツ用などには、特に衝撃を受けやすい踵部にクッション性を付与することによってより保護性に優れたものが望まれることから、例えば、踵部から足底部にかけた領域をパイル編みにすることによってクッション性を持たせたものが従来から考えられている。
【０００４】
通常、一般的なくつ下は、上部開口が履口となる口ゴム部から筒状に編み始めて、脚部、踵部、足底部及び足甲部、爪先部へと順次、連続して編み立てていくという編成方法で形成されている。したがってこのような編成方法においては、途中、踵部領域の編み立てをパイル編みに変更することによって、上記のような踵部にクッション性が付与されたくつ下が形成できる。
【０００５】
しかし実際には、激しいスポーツ用としては、このような単なるパイル編み部分だけではクッション性は充分ではない。そこで、くつ下本体とは別体のクッション材を踵部に取り付けたものもある（例えば、特許文献１参照。）。
【０００６】
【特許文献１】特開平１１−１２８０４号公報
【考案の開示】
【考案が解決しようとする課題】
【０００７】
しかしながら、上記のような別体のクッション材を取り付けるものでは、その取り付けのための手間がくつ下本体の編成とは別に必要となり、その分、くつ下全体の製造工程は煩雑で時間やコストがかかり、効率の悪いものである。
【０００８】
本考案は、上記問題点に鑑み、簡便な工程で製造可能でありながらも充分なクッション性を備えたくつ下を得ることを目的とする。
【課題を解決するための手段】
【０００９】
上記目的を達成するため、請求項１に記載の考案に係るくつ下は、履口を形成する口ゴム部から、足首部、踵部、足底部及び足甲部を経てつま先部まで筒状に連続的に編成されてなる側面略くの字形状のくつ下において、第１口ゴム部から、第１足首部と、第１踵部と、足底部及び足甲部とを経てつま先部まで連続して編成された第１筒状部と、第２口ゴム部から、第２足首部と、第２踵部とを経て土踏まず後方部まで連続して前記第１筒状部と略対称形状に編成された第２筒状部とが、互いに口ゴム部同士で一体的に連なって構成され、前記第２筒状部が前記第１筒状部の対応する領域に折り重ね合わされて、折られた前記口ゴム部同士の境界部位に履口が形成されると共に、該履口から土踏まず後方部に亘って袋状の二重構造部が形成されるものである。
【００１０】
また、請求項２に記載の考案に係るくつ下は、請求項１に記載のくつ下において、前記第２筒状部の土踏まず後方部から第２踵部、第２足首部、第２口ゴム部を経て第１筒状部の第１口ゴム部、第１足首部、第１踵部、足底部および足後部、つま先部までを順次連続的に編成してから前記第２筒状部を第１筒状部との境界部位で折返すことによって前記二重構造部が形成されるものである。
【００１１】
さらに、請求項３に記載の考案に係るくつ下は、請求項１または請求項２に記載のくつ下において、前記二重構造部の少なくとも第１と第２の踵部の合わせ面が互いにパイル面であることを特徴とするものである。
【００１２】
また請求項４に記載の考案に係るくつ下は、請求項１〜請求項３のいずれか１項に記載のくつ下において、前記履口の開口縁上で、靴履口の後側縁部分が当接する所定幅領域に亘って靴当て突部を形成する延設部が第１口ゴム部と第２口ゴム部との間に連続的に設けられているものである。
【考案の効果】
【００１３】
本考案によるくつ下においては、くつ下本体となる第１筒状部に対して、口ゴム部から、足首部、踵部、土踏まず後方部まで連続して第１筒状部と略対称形状に編成された第２筒状部が口ゴム部同士で一体的に連なっており、この第２筒状部を対応する第１筒状部の領域に重ね合わされることによって、土踏まず後方部から、折られた口ゴム部同士の境界部位に現れた履口に亘る踵部と足首部を含む領域に袋状の二重構造部が形成されるものであり、この二重構造部によって踵部にクッション性が付与されるため、クッション材を取り付ける別工程を設けることなく、くつ下本体としての第１筒状部の編成工程に連続してクッション部としての重ね合わせ部である第２筒状部を形成することができるため、簡便に効率良くクッション性に優れたくつ下を製造することができるという効果がある。
【考案を実施するための最良の形態】
【００１４】
本考案のくつ下は、第１口ゴム部から、第１足首部、第１踵部、足底部及び足甲部、つま先部まで連続して編成されたくつ下本体となる第１筒状部に対して、第２口ゴム部から、第２足首部、第２踵部、土踏まず後方部まで連続して前記第１筒状部と略対称形状に編成された第２筒状部が口ゴム部同士で一体的に連なっており、この第２筒状部を対応する第１筒状部の領域に折り重ね合わせることによって、踵部と足首部を含む土踏まず後方部から折られた第１と第２筒状部の境界部位に現れる履口に亘る領域が袋状の二重構造部となるものである。
【００１５】
したがって、本考案によるくつ下においては、この二重構造部によって踵部にクッション性が付与されるため、別工程としてクッション材を形成して取り付けることなく、くつ下本体としての第１筒状部の編成工程に連続して、一連の工程としてでクッション部としての重ね合わせ部である第２筒状部を形成することができるため、簡便に効率良くクッション性に優れたくつ下を製造することができる。しかも本考案のくつ下では、二重構造部が足底部にほとんどかからない構成としたため、踏み込みや蹴り上げなどの運動の際にズレや滑り等の発生はなく装着使用に影響はない。
【００１６】
このような本考案によるくつ下は、第２筒状部の土踏まず後方部から第２踵部、第２足首部、第２口ゴム部を経て第１筒状部の第１口ゴム部、第１足首部、第１踵部、足底部および足後部、つま先部までを順次連続的に編成してから前記第２筒状部を第１筒状部との境界部位で折返すことによって前記二重構造部が形成されたものとして、一連の工程で簡便に得ることができる。なお、折返しが行われる第２筒状部と第１筒状部との境界部位は、通常は予め定められた第１と第２の口ゴム部同士の端部境界部位となる。
【００１７】
また、少なくとも第１と第２の踵部の両合わせ面をパイル面とすることによって、くつ下の踵部のクッション性はより優れたものとなる。もちろん他の部位、例えばつま先部や足底部などにも適度なクッション性を付与したい場合に、これらの部位をパイル編みにしても良く、また逆に、指付近や足甲部など、通気性を持たせたい場合には、その部位をメッシュ編みとうの薄手で構成してもよく、これらの調整は、予め編み機に対して所定の編み方を設定しておき、一連の編成工程において変更しながら行うことができる。
【００１８】
また、激しいスポーツにおいては、足に対して踵以外にも様々な部位への負担がかかるが、例えば、足首の後側は、靴の履口縁が当たって靴ずれが生じやすい。そこで、くつ下の履口の開口縁上の靴履口後側縁部が当接する幅領域に亘って、靴当てとなる突部を設けることによって靴ずれを防止することができる。本考案のくつ下においては、前記第１筒状部の第１口ゴム部と第２筒状部の第２口ゴム部との間に連続して所定面積の延設部を編成しておけば、編成後の第２筒状部の第１筒状部に対する折り重ね合わせによって、二重構造となった靴当て突部を形成することができる。
【００１９】
本考案のくつ下の構成によればこの靴当て突部も二重構造となるため、足首後側領域において充分な保護性が期待できるが、前記延設部をパイル編みにして該突部の重なり合う面をパイル面とすることによってさらにクッション性を付与して保護性を向上させることができる。なおこの場合、折返される境界部位は、第１口ゴム部と第２口ゴム部までの角距離が等しくなる延設部の予め定められた中心位置となる。
【００２０】
なお、第１筒状部の対応する領域に対して略対称形状に編成される第２筒状部は、止め縫い部分を内側に隠す場合には、最終的な製品形態において第１筒状部の内側に重ねられることとなる。この場合、両筒状部がシワやズレなく良好に重なり合うように第２筒状部を第１筒状部の対応部分より若干小さい寸法で編成すればよい。また場合によっては第２筒状部を第１筒状部の外側に重ねることも考えられるが、この場合には第２筒状部を第１筒状部の対応部分より若干多き寸法で編成すれば良い。
【実施例】
【００２１】
本考案の一実施例として、履口の開口縁上の足首後側領域に靴当て突部が形成される場合のくつ下を図１〜図３に示す。図１は一連の編成工程にて形成された本実施例によるくつ下の全体構成を示す概略側面図であり、図２は、編成工程後に第２筒状部を折り返して第１筒状部に重ね合わせた状態を示す側面図、図３は折返し重ね合わせ後に第１筒状部をひっくり返して表面を表した最終的な製品状態を示す側面図である。なお本実施例は、くつ下製品状態における裏面となる面を外側に出した状態で編成する場合を示すものである。
【００２２】
本実施例によるくつ下は、くつ下本体となる第１筒状部１０に対して土踏まず後方部から履口に亘る領域に第２筒状部２が重なり合わされることによって二重構造部２０が形成されるものであり、第２筒状部２と第１筒状部１０とが編み機により、以下の順で筒状に連続的に編成されていくものである。即ち、まず第２筒状部２の土踏まず後方部３から編み初めて第２踵部４、第２足首部５、第２口ゴム部６、延設部７を経て第１筒状部１０の第１口ゴム部１１、第１足首部１２、第１踵部１３、足底部１４及び足甲部１５、つま先部１６まで順次連続的に編成する。
【００２３】
以上、一連の連続した編成工程の後、つま先部１６の開口を閉じ縫いして、図１に示すうに側面略くの字状のくつ下素材１が得られる。その後、境界部位としての延設部７の中心位置８を折返し位置として第２筒状部２を第１筒状部１０側へ折り重ね合わせる。図２に示すように、この重ね合わせによって、折返し境界部位に足後側領域の靴当て突部９を備えた履口２１が現れ、踵部（４，１３）と足首部（５，１２）を含む土踏まず後方部３から履口２１に亘る領域に袋状の二重構造部２０が形成される。
【００２４】
なお、本実施例においては、第２筒状部２は、第２口ゴム部６から土踏まず後方部３までの全体に亘って、第１筒状部１０の第１口ゴム部１１から土踏まず後方部までの対応領域と略対称形状に編成されるものであるが、最終製品形態で第１筒状部１０の内側に重ねた状態でシワやずれのないように、第１筒状部１０よりも若干小さい寸法となる設定とした。これによって二重構造部２０は、第２筒状部２の形状が第１筒状部１０の対応領域に対して略対称形状となるように編成することにより、内外部同士がずれなく合致することができ、装着運動時にも不快感の原因ともなるシワや撚れは生じ難い。
【００２５】
また、この一連の編成工程においては、第１および第２の踵部（４，１３）と延設部７とつま先部１６を裏面パイル編みとすると共に、土踏まず後方部３から足底部１４にかけて足後側領域全体を裏面パイル編みとして、全体的に足後側及び足裏領域の保護性を高めた。一方、足前側及び足の甲領域は比較的薄手となるように編めば通気性を持たせることができる。
【００２６】
以上の工程で編成されたくつ下素材１において、第２筒状部２を外側に折り返して第１筒状部１０に重ね合わせ、第２筒状部２の土踏まず後方部３の端部を第１筒状部１０に縫い止めれば、二重構造部２０の形成は完了し、その後この第２筒状部２が内側になるようにひっくり返して、第１筒状部１０全体をくつ下表面として外側に出すことによって、図３に示す如く製品形態となる。
【００２７】
このくつ下においては、他部材としてのクッション部材を別工程で取り付けることなく、二重構造により踵部にクッション性が付与され、また重ね合わせ面を二重パイル面とすることによりクッション性を向上させることができた。また、同様に本考案では、別工程を設けることなく、一連の編成工程内で延設部７を設けるだけで、履口２１に二重構造の靴当て突部９も簡便に備えることができ、靴ずれに対しても優れた保護性を付与することができる。
【図面の簡単な説明】
【００２８】
【図１】本考案の一実施例によるくつ下を構成する側面略くの字状のくつ下素材１の全体構成を示す概略側面図である。
【図２】図１のくつ下素材の第２筒状部を折り返して第１筒状部に重ね合わせた状態を示す概略側面図である。
【図３】図２の重ね合わせ後にくつ下をひっくり返して表面を外側に表した製品状態を示す概略側面図である。
【符号の説明】
【００２９】
１：くつ下素材
２：第２筒状部
３：土踏まず後方部
４：第２踵部
５：第２足首部
６：第２口ゴム部
７：延設部
８：折返し境界部位
９：靴当て突部
１０：第１筒状部
１１：第１口ゴム部
１２：第１足首部
１３：第１踵部
１４：足底部
１５：足甲部
１６：つま先部
２０：二重構造部
２１：履口
【図１】
0003127628.tif 000003
【図２】
0003127628.tif 000004
【図３】
0003127628.tif 000005